(57)【特許請求の範囲】
【請求項１】
第１吸収層を内在する本体部と、第２吸収層を内在する肌側の吸収体部とがともに長手方向を揃えて重合されてなる、長手方向とこれに直交する幅方向とを有する吸収性物品であって、
前記肌側の吸収体部は前記吸収性物品の前方端部領域と後方端部領域において本体部と接合されており、
該本体部の内部にある第１吸収層の幅は、前記吸収体部の内部にある第２吸収層の幅より広くされ、前記吸収性物品の長手方向中央において前記第１吸収層の厚さは前記第２吸収層の厚さより薄くされており、
前記吸収性物品の長手方向に関して、前記前方端部領域と後方端部領域の間の、排泄部を含む中央領域内は前記本体部と前記吸収体部とが接合されておらず、
前記吸収性物品には、前記本体部側から離間して肌側に起立可能であり、前記吸収体部の幅方向両側外方に位置する、長手方向に延びる防漏壁があり、該防漏壁の基部と前記吸収体部の側端部との距離が、前記吸収性物品の前方部から後方部に向かうにつれ短くなっていて、該防漏壁には複数の伸縮弾性部材が長手方向に伸長状態で配設され、かつ該防漏壁の自由端側には肌面と面で当接しうる平面状部が形成されており、
前記吸収性物品を長手方向に伸長したときの吸収性物品の非肌当接面から前記吸収体部の厚さ位置までの半値厚さ（ｈ１）は、自然状態における前記防漏壁の起立高さ（ｈ２）より低い（ｈ１＜ｈ２）吸収性物品。
【請求項２】
前記吸収体部は、吸収性物品の長手方向中央における排泄領域の厚みが、その前方端部領域及び後方端部領域の厚みに比べ厚くされている請求項１項に記載の吸収性物品。
【発明の詳細な説明】
【技術分野】
【０００１】
本発明は、生理用ナプキン、失禁パッド等の吸収性物品に関する。
【背景技術】
【０００２】
生理用ナプキン等の吸収性物品として、その利便性や装着感、さらには吸収性能の向上等を目的に構造や材料が工夫され、多種・多様なものが開発されてきている。その一つとして、通常の生理用ナプキンの形状を有するナプキン本体部に対し、これとは別体の液保持性の吸収体部が適用され、この吸収体部が肌側になるよう前記本体部に重さね合わされたものがある。このナプキンにおいて上記肌側の吸収体部は本体部に一部において固定されながらナプキンの長手方向中央部では分離可能にされて、これにより装着者の動きや下着の動きとは独立して上記吸収体部が身体に適合し、股間との密着性を高めることができる。
【０００３】
例えば特許文献１には、上下２層の吸収体を有し、その上層吸収体部が長手方向の両端部において長手方向に伸縮可能な弾性部材を介して本体部側の下層吸収体に連結されたものが開示されている。これにより、肌側の上層吸収体部が非応力下において該下層吸収体から上方に離隔して位置するようにされ、弾性部材の働きにより身体の動きに追従可能とされている。
【０００４】
また特許文献２には、ナプキンの本体部と、前記本体部に重ね合わせられ、長手方向の両端が本体部に固定された肌側の吸収体部を備えたものが開示されている。このナプキンにおいて、前記肌側の吸収体部と前記本体部とはその長手方向を揃えて配設されている。この生理用ナプキンでは、上記接合部間において肌側の吸収体部の長さが本体部より長くされており、装着時に余分な部分を折畳む等して使用することで、吸収体のフィット性が高まるとされている。
【０００５】
また特許文献３には、前記特許文献２と類似した構造を有するが、前記吸収体部と本体部とが前記長手方向の一方の端部において接合され、他端部側においては両者が接合されていない状態で使用しうるものが開示されている。このナプキンにおいては、前記吸収体部の非接合端を下着に接着して着用し、肌への密着性を高めることができるとされる。
【先行技術文献】
【特許文献】
【０００６】
【特許文献１】特開平１１−１０４１６８号公報
【特許文献２】特開２００８−２４６０９２号公報
【特許文献３】特開２００８−２４６０９３号公報
【発明の概要】
【発明が解決しようとする課題】
【０００７】
特許文献１〜３に開示された生理用ナプキンにより、肌側の吸収体部が着用者の身体に積極的に当接するように作用し、身体や下着の動きとは独立した良好なフィット感が得られる。特に、身体に密着するような強いサポート性を有しないルーズショーツと組み合わせて装着したときには、その下着の動きに対しても肌側の吸収体が排泄ポイントからズレにくく漏れ等の心配が小さくなる。しかし、特許文献１〜３では下着側の吸収体が生かされにくく、少ない吸収量に適用させやすくなり、特に特許文献２，３で提案されているものでは、着用状態や場所によっては本体部から独立して変形ないし移動可能となったことで、かえって肌側の吸収体部がズレたりヨレたりしてしまうことが考えられる。特に、着用者の好みや運動の程度、使用状況や組み合わせる下着の種類等に合った形で、肌に密着した吸収体部の横方向への動きを調節し抑制したものを選ぶことができれば、一層着用感を良化し漏れ等を的確に防止することができる。
【０００８】
本発明は、上述したような本体部それと部分的に分離し独立して変形可能な状態で重合する肌側吸収部とを具備する吸収性物品に特有の課題の解決に鑑み、該構造を有する吸収性物品の肌側の吸収体部の幅方向への動きを的確に抑え、身体への密着性が高く、かつ横漏れを起こしにくい吸収性物品を提供する。また、身体側だけでなく、下着側の吸収体の利用を高めることでより漏れにくい吸収性物品を提供する。
【課題を解決するための手段】
【０００９】
上記の課題は、第１吸収層を内在する本体部と、第２吸収層を内在する肌側の吸収体部とがともに長手方向を揃えて重合されてなる、長手方向とこれに直交する幅方向とを有する吸収性物品であって、前記肌側の吸収体部は前記吸収性物品の前後端部で本体部と接合されており、該本体部の内部にある第１吸収層の幅は、前記吸収体部の内部にある第２吸収層の幅より広くされ、前記吸収性物品の長手方向中央において前記第１吸収層の厚さは前記第２吸収層の厚さより薄くされており、前記吸収性物品の長手方向排泄部より後方部には前記本体部と前記吸収体部とが接合されていない部分があり、前記吸収性物品には、前記本体部側から離間して肌側に起立可能であり、前記吸収体部の幅方向両側外方に位置する、長手方向に延びる防漏壁があり、該防漏壁には複数の伸縮弾性部材が長手方向に伸長状態で配設され、かつ該防漏壁の自由端側には肌面と面で当接しうる平面状部が形成されており、前記吸収性物品を長手方向に伸長したときの吸収性物品の非肌当接面から前記吸収体部の厚さ位置までの半値厚さ（ｈ１）は、自然状態における前記防漏壁の起立高さ（ｈ２）より低い（ｈ１＜ｈ２）吸収性物品により解決された。
【発明の効果】
【００１０】
本発明の吸収性物品は、本体部それと部分的に分離し独立して変形可能な状態で重合する肌側吸収部とを具備する吸収性物品において、その肌側の吸収体部の幅方向への動きを的確に抑え、身体への密着性が高く、かつ横漏れを起こしにくい。また、身体側だけでなく、下着側の吸収体の利用を高めることでより漏れにくいという効果を奏する。
【図面の簡単な説明】
【００１１】
【図１】本発明の吸収性物品の一実施形態（実施形態１）である生理用ナプキンを一部切欠して模式的に示す斜視図である。
【図２】図１に示した生理用ナプキンのA−A線断面の拡大断面図である。
【図３】図１に示した生理用ナプキンのB−B線断面の拡大断面図である。
【図４】図１に示した生理用ナプキンのＣ−Ｃ線断面の拡大断面図である。
【図５】図１に示した生理用ナプキンの本体部と吸収体部と防漏壁の起立基部との関係を模式化して示した平面図である。
【図６】図１に示した生理用ナプキンの第１吸収層と第２吸収層との関係を着用状態（ａ）及び伸長状態（ｂ）として模式化して示した側面図である。
【図７】本発明の吸収性物品の別の実施形態（実施形態２）である生理用ナプキンについて、図１のA−A線断面に相当する断面を示した拡大断面図である。
【図８】図７に示した生理用ナプキンにおける図１のB−B線断面に相当する断面の拡大断面図である。
【図９】図７に示した生理用ナプキンにおける図１のＣ−Ｃ線断面に相当する断面の拡大断面図である。
【図１０】図７に示した生理用ナプキンの第１吸収層及び第２吸収層と防漏壁の起立基部との関係を模式化して示した平面図である。
【発明を実施するための形態】
【００１２】
以下、本発明の吸収性物品を、その好ましい一実施形態（実施形態１）である生理用ナプキンに基づき図面を参照して説明する。図１は、本発明の吸収性物品の一実施形態である生理用ナプキンを一部切欠して模式的に示す斜視図である。図２〜４は、図１に示した生理用ナプキンのそれぞれA−A線断面、B−B線断面、Ｃ−Ｃ線断面の拡大断面図である。
本実施形態のナプキン１０は、液保持性の本体部１と液保持性の吸収体部２とで構成されている。この本体部１に対し、その肌面側には、本体部内部の第１吸収層１２より幅が狭い吸収体部２が配置されている。該生理用ナプキン１０は実質的に縦長の吸収性物品であり、その長手方向を揃えて前記本体部１と吸収体部２とが重合している。
【００１３】
より具体的には、本実施形態の生理用ナプキン１０は、本体部１として肌当接面を形成する液透過性の表面シート１１、非肌当接面を形成する液不透過性又は撥水性の裏面シート１３、及びこれら両シート１２及び１３の間に介在された液保持性の第１吸収層１２を備える。さらに、本体部１の幅方向両側方の肌面側にはサイドシート１４が配設されており、その長手方向中央で幅方向中央よりの部分は本体部１に接合されておらず自由端Ｗｔとされている。これによりこの部分は着用状態で身体側に起立可能とされ、弾性部材１８とサイドシート１４とにより形成される防漏壁Ｗをなすようにされている。さらに、上述のように本体部１の肌当接面側には、前方接合部３１（補助線Ａより後方端Ｄに向かう部分で吸収体部２と本体部１とが重合した部分である。補助線Ａ−Ｄで区画される領域を「前方端部領域Ａ−Ｄ」という。）及び後方接合部３２（補助線Ｃより後方端Ｆに向かう部分で吸収体部２と本体部１とが重合した部分である。補助線Ｃ−Ｆで区画される領域を「後方端部領域Ｃ−Ｆ」という。）により本体部１に対し部分的に接合された吸収体部１が配置されている。このようにして生理用ナプキン１０は実質的に縦長の形状をしており、排泄部位Ｑを含むナプキンの中央領域Ａ−Ｃでは接合部が形成されておらず、本体部１と吸収体部２とが分離し独立して変形可能とされている。この吸収体部２は内部の第２吸収層２２とこれを覆う被覆シート２１により構成され、この部材自身において液等の吸収保持性を有している。吸収体部２については、その変形例として液通過性の吸収体用の裏面シート（図示せず）を用いて、これを本体部側に配設するようにしてもよい。
【００１４】
本発明においては、特に断らない限り、人体に接触する側を肌面側ないし肌当接面側あるいは表面側といい、下着に接する側を非肌面側ないし非肌当接面側あるいは裏面側という。また、装着時に人体の前側に位置する方向を前方といいその端部を前端部とし、後側に位置する方向を後方といいその端部を後端部として説明する。また、吸収性物品の表面又は裏面の法線方向を厚みないし厚さ方向といいその量を厚さという。さらに、吸収性物品の平面視において相対的に長さのある方向を長手方向といい、この長手方向と直交する方向を幅方向という。なお、前記長手方向は典型的には装着状態において人体の前後方向と一致する。
【００１５】
表面シート１１及び裏面シート１３は、本体部内部の第１吸収層１２よりも大きな寸法を有し、第１吸収層１２の長手方向前後端それぞれから延出し、それらの延出部の端部において互いにヒートシール等により接合されてエンドシール部３３が形成されている。このエンドシール３３は上記本体部１及び吸収体部２との接合部２８も一部包含するように形成されており、該両者の接合も担っている。上記表面シート１１は、第１吸収層１２の肌当接面側の略全域を被覆しており、第１吸収層１２の長手方向に沿った両側部でサイドシートと繋がって、第１吸収層１２の非肌当接面側における左右両側部にまで達している。裏面シート１３は、第１吸収層１２の長手方向に沿った両側縁から外方に延出してサイドシートとともにフラップ部ｍを形成している。さらに、裏面シート１３の非肌当接面側における第１吸収層１２の下方に位置する所定箇所や、サイドウイング部ｎの非肌当接面に、ナプキン１０を下着等の着衣に固定する図示しない粘着部が設けられている。これらの粘着部は、ホットメルト粘着剤を所定箇所に塗布することにより設けられており、ナプキン１０の使用前においてはフィルム、不織布、紙などからなる図示しない剥離シートによって被覆されている。
【００１６】
本実施形態において防漏壁Ｗは、本体部１の表面シート１２上に起立基部Ｗｋを有し、起立壁部Ｗ２と複数の弾性部材により肌面側に向かう面状に形成された自由端Ｗｔ側の平面状部Ｗ１を有している（図３参照）。本実施形態において防漏壁Ｗは断面Ｃ字状ないしコの字状の形状を有しており、自由端部Ｗｔがナプキンの幅方向外方側に向かう形状を有している。防漏壁の起立時の高さ（ｈ２）は、本体部１１と吸収体２１が接合されていない離間部分、つまり排泄領域Ｑを含む部分において両者が接触状態であるときの高さとして、吸収体部２の第２吸収層２２の半値厚み位置の高さ（ｈ１）より高いことが好ましい（図３及び図６参照）。このようにすることで、離間部分をなし肌側に隆起する吸収体部２が装着開始時から使用時において、本体部１からズレることなく、動作への追従が一層良好なものとなる。上記のように本実施形態においては、第２吸収層２２は第１吸収層１２から離間可能となっているが、装着状態において少なくとも半値厚み位置の高さ（ｈ１）以上、好ましくは第２吸収層２２より高い防漏壁によって、第２吸収層２２の動きを適度に制御できる点で好ましい。なお、本発明において吸収体の厚み及び防漏壁高さは特に断らない限り以下のようにして測定する。
【００１７】
［吸収体の厚み及び防漏壁高さの測定方法］
吸収体部２の第２吸収層２２の半値厚み位置の高さ（ｈ１）は、吸収性物品を平面展開した状態（第1吸収層１２と第2吸収層２２が接触した状態）の断面で基本的に荷重をかけないで計測するが、上層下層間に隙間が開いてしまう場合、５０ｇ程度のアクリル板などで荷重して隙間のないように計測する。防漏壁の起立時の高さ（ｈ２）は、防漏壁の弾性部材１８による収縮による湾曲状態で計測する。
【００１８】
本実施形態においては、良好な吸収体部２の隆起作用と、過度に皺を生じさせないこととを考慮し、ナプキン長手方向における分離可能部分（補助線Ａ−Ｃ間）の距離は５０〜１００ｍｍであることが好ましい。これにより、上述した作用が効果的に発揮され、追従性が良く、しかも装着感が良好となる。さらに本実施形態においては、吸収体部２の非肌面側が液透過性とされているため、本体部１側への液の移行が生じやすく第１吸収層１２へ液が導かれそこで吸収保持できるため好ましい。また、本実施形態において、吸収体部２の第２吸収層２２は、排泄部領域Ｑに比べ長手方向前端部領域Ａ−Ｄ及び前端部領域Ｃ−Ｆにおいて薄く形成されている。このようにすることで、吸収体部２やその被覆シート２１の皺を抑え好ましく、また防漏壁による動きの抑制効果が高まり、分離可能部分における吸収体部２と本体部１との接触を促し液移動性を高める観点から好ましい。
【００１９】
本実施形態ではその作用効果を奏する重要な特徴として、図１〜図４あるいは図５に示すように、前方部側においては防漏壁Ｗの基部Ｗｋと吸収体部２の側端縁２ｓとの距離Ｐ３を維持して固定され、後方へ行くほど、つまり中央部の距離Ｐ２から後方部側の距離Ｐ１となるにつれ、その距離が短くなるようにされている。このようにすることで、前方部にかけての吸収体部２の幅方向への動きが抑制され、排泄部領域Ｑからおしりの方向（ナプキン後方端部領域Ｃ−Ｆ）にかけて吸収体部２のズレやヨレが抑えられる。一方、着用者の腹側での吸収体部２の幅方向への動きは適度な自由度が保たれ、例えばルーズショーツを着用したときや、着用者にそれなりの動きがあるときにも、吸収体部２が排泄ポイントの肌の起伏に沿って適合し的確な液の吸収保持性能と良好な着用感が得られる。なお、図５ではナプキン本体１の全体の輪郭を実線で表し、さらにその肌側に配置された吸収体部２の輪郭を実線で表している。これに対し防漏壁の起立基部Ｗｋ及び接合部３１，３２を一点鎖線で表している。
【００２０】
本実施形態において第２吸収層２２は第１吸収層１２より幅が狭くされて身体の起伏にフィットしやすくされており、その幅は６０〜８０ｍｍであることが好ましい。また、第２吸収層の幅は、本体部１上に形成された左右の防漏壁Ｗの起立基部Ｗｋ（図３参照）の間隔Ｐｋ、あるいは前後端部領域の接合部端部Ｗｉ（図２、図４参照）の間隔Ｐｉ，Ｐｊより狭くされている。第２吸収層の幅は適宜、４５〜７０ｍｍの範囲で設定したり、さらに狭く２０〜５０ｍｍの範囲で設定したりしてもよい。一方、本体部１内部の第１吸収層１２は、ナプキンの長手方向の中央において、肌側吸収体部１内部の第２吸収層２２より厚みｈ２２（図３参照）が薄く、第１吸収層１２の厚みｈ１２は５ｍｍ以下であることが好ましく、３ｍｍ以下であることがより好ましい。両吸収層の長手方向中央における厚みの差は特に限定されないが、１〜５ｍｍであることが好ましく、２〜４ｍｍであることがより好ましい。吸収層は使用時の動きに追従しやすい柔軟性と撓み易さを有していることが好ましい。第１吸収層と第２吸収層の吸収保持量は特に限定されず、例えば本体部の第１吸収層１２の方が、吸収体部の第２吸収層２２よりその総吸収量が低くされていてもよいし、あるいはその逆でもよい。
【００２１】
本実施形態において、本体部１と吸収体部２とを接合する接合部３１，３２は各部材の境界に塗布された粘着剤により形成されている。また、その変形例として本体部１と吸収体２にヒートシール等による断面凹状の溝加工を施すことで、接合部３３を形成し両部材を強固に固定することができる。粘着剤により接合部を形成する場合は、接合位置に粘着剤を塗布することで形成でき、溝加工による場合は、排泄部を取り囲む環状形状とすることが好ましい。幅方向成分によって接合部３３を形成し、長手方向成分は本体部にのみ形成されるよう施すことで、ナプキン長手方向中央の排泄領域Ｑ周辺において、本実施形態のように吸収体部２が本体部１とは独立に隆起し離間可能とすることができる。この他、排泄領域の周辺に溝加工を施さないようにすることで接合部のある部分とない部分とを形成することができる。また、粘着剤塗布領域に溝加工することでより安定した接合部を形成することができる。
【００２２】
本実施形態においては、上記のようなナプキンの長手方向における起立基部Ｗｋと吸収体部２の側端縁２ｓとの距離（この距離を特に「ズレ抑制距離」ということがある。）が前後で異なるようにされており、具体的にはズレ抑制距離がＰ１＜Ｐ２＜Ｐ３の関係になるようにされている。このような防漏壁の起立形態とするために、本実施形態においては長手方向中央における防漏壁Ｗから連続するシート材面（サイドシートが賦型されてなす面）が表面シート１１もしくはサイドシート自身と接着剤３６及び３８で接着され、その起立状態をなすようにされている。本実施形態においては、特にこの起立状態を前後で支持するよう、起立壁固着部Ｗａ，Ｗｃにおいて第１吸収層１２の側端縁１２ｓの位置から固着部端部Ｗｉにかけて接着剤３７を解してサイドシート１４どうしが接着され、そこから吸収体部側端縁２ｓまでの距離Ｐａ，Ｐｃが異なるようにされている。具体的には前方端部領域Ａ−Ｄにおける起立壁固着部Ｗａは図２に示すようにＰａと長めに設定され、他方、後方端部領域Ｃ−Ｆにおける距離Ｐｃは短くなるようにされている。距離ＰａとＰｃとの差は特に限定されないが、通常の生理用ナプキンの寸法を考慮して上記のズレ抑制距離として良好な機能を発揮させることを考慮し、その差を２〜１０ｍｍとすることが好ましく、３〜５ｍｍとすることがより好ましい。なお、本実施形態においては、起立部固着部Ｗａ，Ｗｂ及び防漏壁Ｗは必要な箇所を接着剤により接着固定することで形成したが、この部分の接着は接着剤によらずにヒートシール等によって行ってもよい。
なお、本発明において、上記ズレ抑制距離が前後において異なるとは、吸収性物品の長手方向における所定の位置とそれより前方もしくは後方の位置とで相対的に異なっていればよく、その位置は特に限定されない。好ましくは、吸収性物品の略中央（図中で補助線Ｂ）を挟んで前後において異なることが好ましく、防漏壁が起立する部分で前方端部領域の近傍と後方端部領域の近傍とで異なることがより好ましい。ただし、その距離の前後への変化の仕方は本実施形態のように一様であっても、前後に偏っていてもよい。
【００２３】
本実施形態においては、防漏壁Ｗの自由端部においてサイドシート１４が巻き込むようにして２条の弾性部材１８が互いにやや離間し配されている（図３参照）。このようにすることで、吸収体部２の動きの抑制を一層効果的に行うことができる。特に本実施形態においては、防漏壁Ｗの可撓線Ｗｕ付近に弾性部材１８が配されているため、面状部Ｗ１と起立壁部Ｗ２とが安定した形状で形成され、吸収体２の動きの抑制効果が一層高く、また防漏壁自由端部側での肌面への高い密着追従性が得られ好ましい。
【００２４】
本実施形態のナプキン１０においては、上述したように粘着剤塗布や溝加工により前方端部領域Ａ−Ｄだけでなく後方端部領域Ｃ−Ｆにおいても吸収体部２が本体部１に接着固定部３１，３２を介して接合されている。このことで、いずれか一方が接合されているものに対し装着が簡便化されるため好ましい。また、図６に示すように、ナプキン１０を装着したときに本体部１が湾曲変形すると、これに合わせて前方及び後方で接合された吸収体部２が逆に湾曲する力が作用する。前方部及び後方部のいずれかのみが接合されている場合には、このような力は作用しない。図６は、説明を複雑化しないように、本体部１と吸収体部２との動きをその内部の第１吸収層１１及び第２吸収層１２が仮に接合されたものして、その動きを示したものである。ここに示されるように、着用者の肌面がないとして考えれば、吸収体部２は肌面側に大きく隆起するように本体部１とは独立して分離変形するが、実際は着用者の肌に当接する。すなわち、図６は上述のように力の作用を示すモデル図として理解することができる。本実施形態においては、このように肌側に押し付けるような力が吸収体部２に発生することで排泄ポイントの肌の起伏に適度に強く当たり、液漏れ防止性と高いフィット感とが得られる。しかも、装着状態では通常、吸収体部２は防漏壁自由端Ｗｔの位置より非肌面側に押され本体部１とほぼ当接する位置に配され、したがって吸収体部２の最大幅位置と防漏壁Ｗとが互いに干渉するような位置関係となる。そして本実施形態においては、上記のようにズレ抑制距離Ｐ１がズレ防止距離Ｐ３より狭くされたため、効果的におしりの方で、吸収体部２に防漏壁が当たりその幅方向の動きを抑制する。
【００２５】
次に、図７〜図１０に基づいて、本発明の吸収性物品の別の実施形態（実施形態２）としての生理用ナプキン２０について説明する。部材や構造において上記実施形態１と共通するものについては同一の符号を用い、また特に説明しない点については先の実施形態１と同様である。本実施形態２においは、防漏壁Ｗの起立基部Ｗｋが、前方から後方に向かうほど広くなっている。すなわち、後方端側のズレ抑制距離Ｐ１が相対的に広く、次いで中央のズレ抑制距離Ｐ２、前方のズレ抑制距離Ｐ３となるにつれその距離が短くなるようにされている。すなわち、本実施形態２におけるズレ抑制距離の長手方向の調節状態は、上記実施形態１とは逆の関係にされている。本実施形態２のようにすることで、むしろ後方では吸収体部２の動きを拘束しすぎず、変形ないし分離自由度を保ち、一方、前方の幅方向への動きを抑えた設定とすることができる。本実施形態１と本実施形態２との関係のように幅方向の動きを長手方向の前後で適宜調節することができ、例えば、本実施形態１のような設定のものは、排泄部領域に追従性を有し、排泄部後方での移動感を抑える機能を有することで、例えば長さが２７０〜３５０ｍｍ程度の就寝時以外にも使用でき、吸収量が多く求められるような利用に適している。他方、本実施形態２の設定のものは、排泄部から後方に移動の自由性を有することで、３３０ｍｍ〜４００ｍｍを超える様な比較的活動的な動きの少ない就寝時の積極的な利用に適している。
【００２６】
本実施形態においては、さらに特徴的な部分として、図７及び図１０に示したように前方端部領域Ａ−Ｄ側の防漏壁固着部の固着端部Ｗｉが吸収体部２に乗り上げるように配置され接着固定されている。したがって、この部分の固着端部Ｗｉから吸収体部の側端縁２ｓまでの距離Ｐａとしては、その他の距離Ｐ３，Ｐ２との関係でいうと吸収体部の側端縁２ｓに対してマイナス側になるように設定されている。このように、防漏壁Ｗから連続するサイドシート４の面が吸収体部２の側部を包むようにされ、防漏壁の自由端部分が内方に向けられ支持されているため、補助線ＡとＢとの間には防漏壁に自由端部周辺の平面状部が形成されない部分が作出され、特にズレ抑制距離Ｐ３示したあたりでの吸収体部２の幅方向の動きの抑制力がより大きくなるようにされている。その結果、本実施形態によれば、排泄領域Ｑ周辺での吸収体部２の左右の動きによるズレやヨレを極めて効果的に抑えることができる。
【００２７】
以下に、本実施形態におけるナプキン１０における構成材料について以下に説明する。
本体部１の表面シート１１及び吸収体部２の被覆シート２１は、同様のものを使用することができ、開孔フィルムや不織布が好ましい。特に、熱融着成分と高融点成分との好ましい組み合わせとしては、ポリエチレンとポリエチレンテレフタレート、ポリエチレンとポリプロピレン、低融点のポリエチレンテレフタレートとポリエチレンテレフタレート、ポリエチレンとポリブチレンテレフタレート等が挙げられるが、これらに制限されるものではない。芯鞘型複合繊維は、同芯タイプの他、偏芯タイプのもの、を用いた２０〜３０ｇ／ｍ２のエアスルー法による不織布が、肌触りや湾曲により発生する皺の影響低減の点から好ましい。
【００２８】
吸収体部２の第２吸収層２２としては、パルプ単独、パルプと他の繊維の複合体（繊維材料の複合体）、繊維材料と高吸収性ポリマーによる複合体を用いる事が好ましく、これらの繊維／粒子材料を紙や不織布で包み込んでシート物とすると、加工性が容易となり、前述した排泄部を厚くする構成にも適用しやすい。本体部１の第１吸収層１２としては、上記第２吸収層２２と同様に構成することができるが、吸収体部２で吸収できなかった液を保持し、装着時の柔軟性を良好とする観点から、乾式パルプシートや不織布間に高吸収性ポリマーを挟みこんだポリマーシート等、吸収体吸収部材より薄く形成でき、シートとしての柔軟性や低座屈性発現しやすい一体的なシート構造体が好ましい。
【００２９】
本体部１の裏面シート１３は、液難透過性を有する材料であれば良く、１５〜３０g/ｍ２程度の透湿性や非透湿性のフィルム材料、繊維材料を使用することができ、下着に固定するための粘着剤の転写の容易性からは、フィルム材料が好ましい。
【００３０】
吸収体部の裏面シート１３としては、液通過性であることが好ましく、表面シートと同じ材料を使用することができる。しかしながら、分離時の液滲みによる液拡散を抑える観点から、吸収部の側部域では液難透過性を有し、中央域で液透過性を有する事が好ましく、このような材料として、疎水性のスパンボンド不織布、あるいはスパンボンド不織布とメルトブロー不織布の複合シートの中央に開孔処理や親水化処理をおこなったシートが好ましい。
【００３１】
防漏壁Ｗを形成するサイドシート１４としては、疎水性や撥水性を有する繊維材料が肌触りと防漏性の点から好ましく、疎水処理されたエアスルー法の不織布や、疎水性のスパンボンド不織布、あるいはスパンボンド不織布とメルトブロー不織布の複合シートが好ましい。
【００３２】
以上、本発明をその好ましい実施形態に基づき説明したが、本発明は前記実施形態に制限されない。例えば、前記実施形態のナプキンは、外方へその自由端が伸びていく防漏壁形態であったが、自由端が内方へ伸びていくものであったり、起立壁部の自由端側に面で接合する平面状部がある断面Ｔ字形状の防漏壁形態であったりしてもよい。また、表面シート１１及び被覆シート２１には、凹凸構造や開孔形状及びそれらの複合構造が形成されているものを用いてもよい。
【符号の説明】
【００３３】
１  本体部
１１  表面シート
１２  第１吸収層
１３  裏面シート
１４  サイドシート
１５  フラップ部
１６  接合部
１７  サイドウイング部
１８  弾性部材
２  吸収体部
２１  被覆シート
２２  第２吸収層
１０、２０  生理用ナプキン（吸収性物品）
３１、３２  接合部
３３  エンドシール部
３５  第１接着部
３６  第２接着部
Ｗ  防漏壁
Ｑ  排泄領域
【図１】
0005451358.tif 000002
【図２】
0005451358.tif 000003
【図３】
0005451358.tif 000004
【図４】
0005451358.tif 000005
【図５】
0005451358.tif 000006
【図６】
0005451358.tif 000007
【図７】
0005451358.tif 000008
【図８】
0005451358.tif 000009
【図９】
0005451358.tif 000010
【図１０】
0005451358.tif 000011